(57)【要約】【課題】投影画像から任意の領域を指定して、印刷することができる印刷機能付きプロジェクタを提供する。【解決手段】画像を印刷する印刷部１１と、画像を投影面に投影する投影部１０を有する印刷機能付きプロジェクタ１において、投影画像から印刷範囲を選択する印刷範囲選択手段と、この印刷範囲選択手段が選択した印刷範囲の座標を判定する印刷範囲判定手段と、この印刷範囲判定手段が判定した印刷範囲に基づき、印刷イメージを生成し印刷部１１に出力する印刷イメージ生成手段２４とを有する。なお、印刷範囲選択手段は、ユーザが操作することにより、投影画像に印刷範囲を表示させ、この印刷範囲を投影画像内で移動させて、印刷範囲を選択する操作パネル１３やリモートコントローラ３０であり、印刷範囲判定手段は、前記印刷範囲の移動情報に基づいて前記印刷範囲を判定することが好ましい。【選択図】図２
2008310715.tif 000002
【特許請求の範囲】
【請求項１】
画像を印刷する印刷部と、画像を投影面に投影する投影部を有する印刷機能付きプロジェクタにおいて、
投影画像から印刷範囲を選択する印刷範囲選択手段と、
この印刷範囲選択手段が選択した印刷範囲の座標を判定する印刷範囲判定手段と、
この印刷範囲判定手段が判定した印刷範囲に基づき、印刷イメージを生成し印刷部に出力する印刷イメージ生成手段と、
を有することを特徴とする印刷機能付きプロジェクタ。
【請求項２】
印刷範囲選択手段は、ユーザが操作することにより、投影画像に印刷範囲を表示させ、この印刷範囲を投影画像内で移動させて、印刷範囲を選択する印刷機能付きプロジェクタに設けられた操作パネル及び印刷機能付きプロジェクタを遠隔操作するリモートコントローラの少なくとも一方であり、
印刷範囲判定手段は、前記印刷範囲の移動情報に基づいて前記印刷範囲を判定することを特徴とする請求項１に記載の印刷機能付きプロジェクタ。
【請求項３】
印刷範囲選択手段は、投影面に光点を表示するポインターであり、印刷範囲判定手段は投影面をキャプチャーする印刷機能付きプロジェクタに設けられたカメラであり、
ユーザが、前記ポインターを操作することにより、所望の印刷範囲の対角線両端を、投影面に光点で順次２つ表示させて、
前記カメラが、前記投影面に順次表示された２つの光点をキャプチャーして、これら２つの光点の座標に基づいて印刷範囲を判定することを特徴とする請求項１に記載の印刷機能付きプロジェクタ。
【請求項４】
印刷範囲選択手段は、ユーザが操作することにより、投影画から所望の印刷範囲の対角線両端を順次選択する印刷機能付きプロジェクタに接続されたポインティングディバイスであり、
印刷範囲判定手段は、前記選択された対角線両端の座標に基づいて、印刷範囲を判定することを特徴とする請求項１に記載の印刷機能付きプロジェクタ。
【請求項５】
投影画像から複数の印刷範囲を選択することを特徴とする請求項１〜請求項４のいずれかに記載の印刷機能付きプロジェクタ。
【請求項６】
印刷イメージを投影面に投影することを特徴とする請求項１〜請求項５のいずれかに記載の印刷機能付きプロジェクタ。
【請求項７】
印刷範囲の外縁を、所定の方法で決定し、投影面に表示することを特徴とする請求項１〜請求項６のいずれかに記載の印刷機能付きプロジェクタ。
【発明の詳細な説明】
【技術分野】
【０００１】
本発明は、投影画像から任意の領域を指定して、印刷することができる印刷機能付きプロジェクタに関するものである。
【背景技術】
【０００２】
従来から特許文献１に示されるような、印刷機能付きプロジェクタが提案されている。この印刷機能付きプロジェクタには、投影されている画像を印刷する手段が提供されているが、ユーザにとって使いやすいものではなかった。
【０００３】
そこで、特許文献２に示されるような印刷機能付きプロジェクタが提案されている。この印刷機能付きプロジェクタは、画像の投影時に、ユーザがリモコンを用いて画像を印刷する指示をするだけで、投影画像と同じ画像を簡単に印刷することを可能としたものである。
【０００４】
しかしながら、投影されている画像しか印刷することができないことや、投影画像から、印刷範囲や、印刷したいオブジェクトを選択することができず、不便であるという問題があった。
【特許文献１】特表２００４−５２４５５２号公報
【特許文献２】特開２００６−２４３６７２号公報
【発明の開示】
【発明が解決しようとする課題】
【０００５】
投影画像から任意の領域を指定して、印刷することができる印刷機能付きプロジェクタを提供する。
【課題を解決するための手段】
【０００６】
上記課題を解決するために請求項１に記載の発明は、画像を印刷する印刷部と、画像を投影面に投影する投影部を有する印刷機能付きプロジェクタにおいて、
投影画像から印刷範囲を選択する印刷範囲選択手段と、
この印刷範囲選択手段が選択した印刷範囲の座標を判定する印刷範囲判定手段と、
この印刷範囲判定手段が判定した印刷範囲に基づき、印刷イメージを生成し印刷部に出力する印刷イメージ生成手段と、
を有することを特徴とする。
【０００７】
また、請求項２に記載の印刷範囲選択手段は、ユーザが操作することにより、投影画像に印刷範囲を表示させ、この印刷範囲を投影画像内で移動させて、印刷範囲を選択する印刷機能付きプロジェクタに設けられた操作パネル及び印刷機能付きプロジェクタを遠隔操作するリモートコントローラの少なくとも一方であり、
印刷範囲判定手段は、前記印刷範囲の移動情報に基づいて前記印刷範囲を判定することを特徴とする。
【０００８】
また、請求項３に記載の印刷範囲選択手段は、投影面に光点を表示するポインターであり、印刷範囲判定手段は投影面をキャプチャーする印刷機能付きプロジェクタに設けられたカメラであり、
ユーザが、前記ポインターを操作することにより、所望の印刷範囲の対角線両端を、投影面に光点で順次２つ表示させて、
前記カメラが、前記投影面に順次表示された２つの光点をキャプチャーして、これら２つの光点の座標に基づいて印刷範囲を判定することを特徴とする。
【０００９】
また、請求項４に記載の印刷範囲選択手段は、ユーザが操作することにより、投影画から所望の印刷範囲の対角線両端を順次選択する印刷機能付きプロジェクタに接続されたポインティングディバイスであり、
印刷範囲判定手段は、前記選択された対角線両端の座標に基づいて、印刷範囲を判定することを特徴とする。
【００１０】
また、請求項５に記載の発明は、投影画像から複数の印刷範囲を選択することを特徴とする。
【００１１】
また、請求項６に記載の発明は、印刷イメージを投影面に投影することを特徴とする。
【００１２】
また、請求項７に記載の発明は、印刷範囲の外縁を、所定の方法で決定し、投影面に表示することを特徴とする。
【発明の効果】
【００１３】
請求項１に記載の発明によれば、画像を印刷する印刷部と、画像を投影面に投影する投影部を有する印刷機能付きプロジェクタにおいて、投影画像から印刷範囲を選択する印刷範囲選択手段と、この印刷範囲選択手段が選択した印刷範囲の座標を判定する印刷範囲判定手段と、この印刷範囲判定手段が判定した印刷範囲に基づき、印刷イメージを生成し印刷部に出力する印刷イメージ生成手段とを有するので、ユーザが投影画像から任意の領域を指定して、印刷することが可能となる。
【００１４】
また、請求項２に記載の発明によれば、印刷範囲選択手段は、ユーザが操作することにより、投影画像に印刷範囲を表示させ、この印刷範囲を投影画像内で移動させて、印刷範囲を選択する印刷機能付きプロジェクタに設けられた操作パネル及び印刷機能付きプロジェクタを遠隔操作するリモートコントローラの少なくとも一方であり、印刷範囲判定手段は、前記印刷範囲の移動情報に基づいて前記印刷範囲を判定するので、ユーザが前記操作パネルやリモートコントローラを操作することにより、簡単に投影画像から任意の領域を指定して、印刷することが可能となる。
【００１５】
また、請求項３に記載の発明によれば、ユーザが、ポインターを操作することにより、所望の印刷範囲の対角線両端を、投影面に光点で順次２つ表示させて、カメラが、前記投影面に順次表示された２つの光点をキャプチャーして、これら２つの光点の座標に基づいて印刷範囲を判定するので、ユーザが前記ポインターを操作することにより、簡単に投影画像から任意の領域を指定して、印刷することが可能となる。
【００１６】
また、請求項４に記載の発明によれば、印刷範囲選択手段は、ユーザが操作することにより、投影画から所望の印刷範囲の対角線両端を順次選択する印刷機能付きプロジェクタに接続されたポインティングディバイスであり、印刷範囲判定手段は、前記選択された対角線両端の座標に基づいて、印刷範囲を判定するので、ユーザが前記ポインティングディバイスを操作することにより、簡単に投影画像から任意の領域を指定して、印刷することが可能となる。
【００１７】
また、請求項５に記載の発明によれば、投影画像から複数の印刷範囲を選択することができるので、ユーザが同時に複数の印刷範囲を選択することが可能となり、便利である。
【００１８】
また、請求項６に記載の発明によれば、印刷イメージを投影面に投影するので、印刷前に、投影面で印刷イメージを確認することが可能となる。
【００１９】
また、請求項７に記載の発明によれば、印刷範囲の外縁を、所定の方法で決定し、投影面に表示するので、ユーザが必要に応じて、印刷範囲の表示方法を変更することが可能となり、便利である。
【発明を実施するための最良の形態】
【００２０】
（本発明の構成）
以下に、図面を参照しつつ本発明の好ましい実施の形態を示す。図１は本発明の実施の形態を示すプロジェクタの斜視図である。図１において、１は本発明の印刷機能付きプロジェクタである。１ａは印刷機能付きプロジェクタ１に設けられた表示部である。表示部１ａは、本実施形態では、ＬＣＤ（Ｌｉｑｕｉｄ  Ｃｌｙｓｔａｌ  Ｄｉｓｐｌａｙの略、液晶表示素子）であるが、ＰＤＰ（Ｐｌａｓｍａ  Ｄｉｓｐｌｙ  Ｐａｎｅｌの略、プラズマディスプレー）や有機ＥＬ等であっても差し支えない。
【００２１】
１ｂは印刷機能付きプロジェクタ１に設けられたレンズであり、図１に示されるように、このレンズ１ｂを透過した画像が、スクリーン等の投影面８０に投影画像９１として投影されるようになっている。
【００２２】
１ｃは操作パネルであり、本発明の印刷機能付きプロジェクタ１を、操作したり、各種設定したりするものである。３０はリモートコントローラであり、印刷機能付きプロジェクタ１を遠隔操作するものである。
【００２３】
図２に、本発明の印刷機能付きプロジェクタのブロック図を示す。１０は投影部であり、画像を投影面８０に投影するものである。この投影部１０は主に、光源、照明光学系、ＬＣＤ、レンズ１ｂとから構成されている。１１は印刷部であり、紙に画像を印刷するものである。１２は表示部であり、図１に示される表示部１ａと同一である。表示部１２には、印刷機能付きプロジェクタ１の各種設定情報等が表示されるようになっている。１３は操作パネルであり、図１に示される操作パネル１ｃと同一である。
【００２４】
１５は投影画像入力部であり、外部から送信される送信データを受信して、この送信データに含まれる「画像データ」を取得するためのものである。この投影画像入力部１５のインターフェースとして、ＶＧＡ（Ｖｉｄｅｏ  Ｇｒａｐｈｉｃｓ  Ａｒｒａｙの略）や、ＬＡＮ（Ｌｏｃａｌ  Ａｒｅａ  Ｎｅｔｗｏｒｋ）や、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、ＲＳ２３２、ＲＳ４２２、電話回線その他通信インターフェースを含めることができる。あるいは投影画像入力部１５として、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。この投影画像入力部１５により、コンピュータ装置５０、デジタルカメラ、ＦＡＸ、スキャナー等から出力される「画像データ」を取得する。なお、コンピュータ装置５０には、ウインドウズ（登録商標）、マッキントッシュ（登録商標）、リナックス（登録商標）、ＭＳ−ＤＯＳ（登録商標）等のＯＳ（オペレーティングシステム）を用いた、いわゆるパーソナルコンピュータや、ＰＤＡ（Ｐｅｒｓｏｎａｌ  Ｄｉｇｉｔａｌ  Ａｓｓｉｓｔａｎｔの略、携帯情報端末）、ワークステーション、大型汎用コンピュータ等が含まれる。
【００２５】
なお、「画像データ」のフォーマットとしては、ＪＰＥＧ（Ｊｏｉｎｔ  Ｐｈｏｔｏｇｒａｐｈｉｃ  Ｅｘｐｅｒｔｓ  Ｇｒｏｕｐの略）、ＢＭＰ（Ｂｉｔｍａｐの略）、ＴＩＦＦ（Ｔａｇｇｅｄ  Ｉｍａｇｅ  Ｆｉｌｅ  Ｆｏｒｍａｔの略）、ＰＮＧ（Ｐｏｒｔａｂｌｅ  Ｎｅｔｗｏｒｋ  Ｇｒａｐｈｉｃｓの略）、ＧＩＦ（Ｇｒａｐｈｉｃｓ  Ｉｎｅｒｃｈａｎｇｅ  Ｆｏｒｍａｔの略）等の画像ファイルや、オペレーティングシステムの表示画面、ビジネスソフトやグラフィカルソフトのファイル形式も含まれる。
【００２６】
１６は外部記憶接続部であり、この外部記憶接続部１６に、外部より記憶媒体を接続することにより、記憶媒体に保存されている「画像データ」を取得するようになっている。なお、記憶媒体には、コンパクトフラッシュ（登録商標）、ＭＭＣ５１（マルチメディアカード）、ＳＤメモリーカード５２（登録商標）、メモリースティック（登録商標）等の不揮発性メモリーや、ＣＤ（コンパクトディスク）、ＤＶＤ、フロッピー（登録商標）ディスク、ＭＯ（Ｍａｇｎｅｔｏ  Ｏｐｔｉｃａｌ  Ｄｉｓｃの略、光磁気ディスク）等のリムーバブルディスクを含めることができ、外部記憶接続部１６は、これらの記憶媒体に対応したインターフェースとなっている。
【００２７】
なお、本発明の印刷機能付きプロジェクタ１は、投影画像入力部１５及び外部記憶接続部１６のどちらか１つだけを備えた構成であっても差し支えない。
【００２８】
１７はＣＰＵ（Ｃｅｎｔｒａｌ  Ｐｒｏｃｅｓｓｉｎｇ  Ｕｎｉｔの略）であり、１８はＲＡＭ（Ｒａｎｄｏｍ  Ａｃｃｅｓｓ  Ｍｅｍｏｒｙの略）、１９はＲＯＭ（Ｒｅａｄ  Ｏｎｌｙ  Ｍｅｍｏｒｙの略）である。ＣＰＵ１７は、ＲＡＭ１８、ＲＯＭ１９と協動して、各種演算、処理をする。ＲＡＭ１８は、ＣＰＵ１７が処理するデータを一時的に保存するものである。
【００２９】
ＲＯＭ１９には、本発明の印刷機能付きプロジェクタ１を制御するためのアプリケーションソフトが保存されている。これらのアプリケーションソフトは、ＣＰＵ１７で処理することにより、各種機能を実現している。
【００３０】
２０は記憶部でありハードディスクや不揮発性メモリーにより構成されている。記憶部２０には、印刷機能付きプロジェクタ１の各種設定情報等を保存するものである。
【００３１】
２１は画像処理部である。画像処理部２１は、２つの機能を有している。一つは、投影画像入力部１５や外部記憶接続部１６から入力された「画像データ」を、必要に応じてシャープネス補正、ガンマ補正、コントラスト補正、ホワイトバランス補正、台形補正等の画像処理を行い、投影部１０に出力する機能である。一つは、印刷イメージ生成手段で作成された「印刷イメージ」を、必要に応じて、シャープネス補正、ガンマ補正、コントラスト補正、色変換（ＲＧＢ→ＣＭＹＫ（カラーの場合）、ＲＧＢ→Ｂｌａｃｋ（モノクロの場合））、画像拡大縮小、階調変換（２値化）などの画処理を行い、印刷部１１に出力する機能がある。
【００３２】
２４は印刷イメージ生成手段である。印刷イメージ生成手段２４は、投影画像入力部１５や外部記憶接続部１６から入力された「画像データ」から「印刷イメージ」を生成し、印刷部１１に出力するものである。
【００３３】
なお、画像処理部２１及び印刷イメージ生成手段２４は、ＲＯＭ１９に保存されたアプリケーションソフトが、ＣＰＵ１７で処理されることにより実現している。
【００３４】
２５はカメラである。カメラ２５は、ＣＣＤやＣＭＯＳ等のイメージセンサー（固体映像素子）とレンズとから構成され、投影面８０に表示された画像をキャプチャー（画像ファイルとして取り込む）するものである。
【００３５】
リモートコントローラ３０は、主にＣＰＵ３１、ＲＯＭ３２、ＲＡＭ３３、記憶部３４、表示部３６、操作ボタン３７、赤外線受信部３８、赤外線送信部３９から構成されている。
【００３６】
ＣＰＵ３１は、ＲＯＭ３２、ＲＡＭ３３と協動して、各種演算、処理をするものである。ＲＡＭ３３は、ＣＰＵ３１が処理するデータを一時的に保存するものである。
【００３７】
ＲＯＭ３２には、リモートコントローラ３０を制御するためのアプリケーションソフトが保存されている。このアプリケーションソフトは、ＣＰＵ３１で処理することにより、各種機能を実現している。
【００３８】
記憶部３４は、ハードディスクや不揮発性メモリーにより構成されていて、リモートコントローラ３０の各種設定情報等を保存するものである。
【００３９】
表示部３６は、ＬＣＤやＰＤＰ、有機ＥＬ等で構成され、各種設定情報等が表示されるようになっている。
【００４０】
操作ボタン３７は、ユーザが操作することにより、本発明の印刷機能付きプロジェクタ１を、操作したり、各種設定したりするものである。
【００４１】
赤外線受信部３８と赤外線送信部３９はそれぞれ、印刷機能付きプロジェクタ１に設けられた赤外線送信部２６及び赤外線受信部２７と、赤外線で通信するものである。
【００４２】
（第１の実施形態）
次に第１の実施形態について説明をする。図３に第１の実施形態の説明図を示し、図４に第１の実施形態のフロー図を示す。この第１の実施形態は、図３に示されるように、ユーザが、印刷機能付きプロジェクタ１の操作パネル１３や、リモートコントローラ３０の操作ボタン３７（以下操作パネル１３及び操作ボタン３７を「操作部」とする）を操作することにより、投影画像９１に印刷範囲９２表示させ、この印刷範囲９２を投影画像９１内で移動させて、「印刷範囲判定手段」が、印刷範囲９２の移動情報に基づいて印刷範囲９２の座標を判定する実施形態である。
【００４３】
つまり、この第１の実施形態では、投影画像９２から印刷範囲を選択する「印刷範囲選択手段」は、操作パネル１３や操作ボタン３７である。また、「印刷範囲選択手段」が選択した印刷範囲９２の座標の判定を行う「印刷範囲判定手段」は、ＲＯＭ１９に保存されたアプリケーションソフトが、ＣＰＵ１７で処理されることにより実現している。なお、図３において、「表示画像」は横縦それぞれの解像度が１０２４×７６８で表示されている。
【００４４】
以下に図４のフロー図を用いて、第１の実施形態を説明する。ユーザが「操作部」の「印刷範囲表示ボタン」を押下すると、Ｓ１１２「印刷範囲表示ボタン押下」の操作からＳ１１３「印刷範囲表示信号出力」の処理に進む。
【００４５】
Ｓ１１３の処理において「操作部」は、投影画像９１内に印刷範囲９２を表示させる「印刷範囲表示信号」を画像処理部２１に出力する。Ｓ１１３の処理が終了すると、Ｓ１２１「印刷範囲表示信号入力」の処理に進む。
【００４６】
Ｓ１２１の処理において、「操作部」からの「印刷範囲表示信号」が画像処理部２１に入力されると、Ｓ１２２「印刷範囲を表示」の処理に進み、画像処理部２１は投影部１０に信号を出力して、投影画像９１に印刷範囲９２を表示する。ユーザの選択により、Ａ４、Ｂ５等のサイズに相当する印刷範囲９２を投影画像９１に表示する。Ｓ１２２の処理が終了すると、Ｓ１３１「移動キー操作」の操作に進む。
【００４７】
この第１の実施形態では、「操作部」には、投影画像に表示された印刷範囲９２を投影画像９１内で、上下左右に移動させる「移動キー」が設けられている。Ｓ１３１の操作において、ユーザが、「操作部」の「移動キー」を押下して操作すると、Ｓ１３２「印刷範囲移動情報出力」の処理に進み、「操作部」は、投影画像９１内に表示された印刷範囲９２を上下左右に移動させる「印刷範囲移動情報」を画像処理部２１に出力する。Ｓ１３２の処理が終了すると、Ｓ１４１「印刷範囲移動情報入力」の処理に進む。
【００４８】
一方で、Ｓ１３１の操作において、ユーザが、「操作部」の「移動キー」を押下しない状態で一定時間経過した場合には、Ｓ１４３「印刷範囲を指定する」の判断に進む。
【００４９】
Ｓ１４１の処理において、「操作部」から画像処理部２１に「印刷範囲移動情報」が入力されると、Ｓ１４１「印刷範囲を移動・再表示」の処理に進み、画像処理部２１は、押下された「移動キー」にあわせて、印刷範囲９２を、投影画像９１内で移動させて、投影画像９１内に再表示する。Ｓ１４２の処理が終了すると、Ｓ１４３「印刷範囲を指定する」の判断に進む。
【００５０】
Ｓ１４３の処理において、ユーザが投影画像９１内に表示された印刷範囲９２を指定する場合には、Ｓ１４４「印刷要求」の操作に進む。一方で、ユーザが投影画像９１内に表示された印刷範囲９２を指定しない場合には、Ｓ１３１の処理に戻る。
【００５１】
Ｓ１４４の操作において、ユーザが「操作部」に設けられた「印刷キー」を押下すると、Ｓ１４５「印刷要求信号出力」の処理に進み、「操作部」が「印刷範囲判定手段」に「印刷要求信号」を出力する。Ｓ１４５の処理が終了すると、Ｓ１５１「印刷」の処理に進む。
【００５２】
一方で、Ｓ１４４の操作において、ユーザが前記「印刷キー」を押下しない場合（例えばユーザが「印刷キー」を押下することなく、一定時間経過した場合）には、Ｓ１６０「キャンセル？」の操作に進む。Ｓ１６０の操作において、ユーザが「操作部」を操作して、印刷要求をキャンセルしない場合には、Ｓ１４４の操作に戻る。一方で、Ｓ１６０の操作において、ユーザが「操作部」を操作して、印刷要求をキャンセルする場合には、一連のフローが終了する。
【００５３】
Ｓ１５１の処理において、「印刷範囲判定手段」に「印刷要求信号」が入力されると、「印刷範囲判定手段」が「印刷範囲の移動情報」に基づいて、印刷範囲９２の判定を行う。図５に印刷範囲の判定処理の説明図を示す。図５に示されるように、「印刷範囲判定手段」は、投影画像９１内に最初に表示された印刷範囲の頂点９３（図５に示されるように例えば左下の頂点）を基準として、ユーザが「移動キー」を操作した「印刷範囲の移動情報」に基づいて、投影画像９１内の印刷範囲９２を再計算して、印刷範囲９２を判定する。
【００５４】
つまり、Ｓ１２１の処理において「印刷範囲判定手段」は、印刷範囲９２の大きさ（例えば、Ａ４サイズに相当する縦横比率の範囲）及び印刷範囲の頂点９３の座標（以下１ピクセルを１座標とする、図５においてＸ座標、Ｙ座標がそれぞれ５０、５０）を記憶し、Ｓ１４１の処理において、「印刷範囲移動情報」を記憶して、「印刷範囲判定手段」は、印刷範囲の頂点９３の座標（５０、５０）に、「印刷範囲移動情報」に基づく前記印刷範囲の頂点の移動量（図５においてＸ座標、Ｙ座標がそれぞれ１００、５０）を加算することにより、移動後の印刷範囲の頂点９４（１５０、１００）を算出して、この移動後の印刷範囲の頂点９４の座標と前記「印刷範囲の大きさ」から印刷範囲９２の座標を判定する。
【００５５】
Ｓ１５１の処理において、印刷イメージ生成手段２４は、「印刷範囲判定手段」が判定した印刷範囲９２の座標に基づき、「印刷イメージ」を生成し、画像処理部２１で色変換等の画像処理を行わせ、印刷部１１に出力して、印刷部１１が印刷をする。Ｓ１５１の処理が終了すると、Ｓ１５２「印刷完了メッセージ表示」の処理に進む。
【００５６】
Ｓ１５２の処理において、「印刷完了メッセージ」が、印刷機能付きプロジェクタ１やリモートコントローラ３０の表示部１２、３６に表示され、一連のフローが終了する。
【００５７】
（第２の実施形態）
次に第２の実施形態について説明をする。図６に第２の実施形態の説明図を示し、図７第２の実施形態のフロー図を示す。図６に示される４０はポインターであり、半導体レーザ等により、指向性の強い光を発光するものである。この第２の実施形態は、図６に示されるように、ユーザが、ポインター４０を操作することにより、所望の印刷範囲９２の対角線両端を、投影面８０に光点で順次２つ表示させて、カメラ２５が、投影面８０に順次表示された２つの光点をキャプチャーして、これら２つの光点の座標に基づいて印刷範囲９２の座標を判定する実施形態である。
【００５８】
つまり、この第２の実施形態では、投影画像９２から印刷範囲を選択する「印刷範囲選択手段」は、ポインター４０である。また、「印刷範囲選択手段」が選択した印刷範囲９２の座標の判定を行う「印刷範囲判定手段」は、カメラ２５である。
【００５９】
以下に図７のフロー図を用いて、第２の実施形態を説明する。
第２の実施形態が開始すると、Ｓ２１２「第１位置を指示するよう表示」の処理で、表示部１２、３６に、第１位置をポインター４０で指示するようユーザに要求する旨が表示される。Ｓ２１２の処理が終了すると、Ｓ２１３「カメラで光点の位置座表を認識する」の処理に進む。
【００６０】
表示部１２、３６に表示された前記表示を見て、ユーザが、ポインター４０を操作することにより、所望の印刷範囲９２の対角線の一端９５を、投影面８０に光点で表示させることにより指し示す。
【００６１】
Ｓ２１３の処理において、カメラ２５は、投影面８０をキャプチャーする。このＳ２１３の処理において、画像処理部２１は、キャプチャーされた投影面８０に、ユーザが操作して表示する静止光点が表示されているか否かを判断する。画像処理部２１が、静止光点が投影面８０上に存在すると判断した場合には、前記静止光点を所望の印刷範囲９２の一端９５として位置座表を認識し、Ｓ２２１「静止光点あり？」から、Ｓ２２２「位置座表をＲＡＭに格納する」の処理に進む。一方で、画像処理部が、静止光点が投影面８０上に存在しないと判断した場合には、Ｓ２１３の処理に戻る。
【００６２】
Ｓ２２２の処理において、画像処理部２１は、「光点９５の位置座表」をＲＡＭ１８に格納する。Ｓ２１３の処理が終了すると、Ｓ２２３「第２位置を指示するよう表示」の
処理に進む。
【００６３】
Ｓ２２３の処理において、表示部１２、３６に、第２位置をポインター４０で指示するようユーザに要求する旨が表示される。Ｓ２２３の処理が終了すると、Ｓ２４０「カメラで光点の位置座表を認識する」の処理に進む。
【００６４】
表示部１２、３６に表示された前記表示を見て、ユーザが、ポインター４０を操作することにより、所望の印刷範囲９２の対角線の他端９６を、投影面８０に光点で表示させることにより指し示す。
【００６５】
Ｓ２４０の処理において、カメラ２５は、投影面８０をキャプチャーする。このＳ２４０の処理において、画像処理部２１は、キャプチャーされた投影面８０に、ユーザが操作して表示する静止光点が表示されているか否かを判断する。画像処理部２１が、静止光点が投影面８０上に存在すると判断した場合には、前記静止光点を所望の印刷範囲９２の対角線の他端９６として位置座表を認識し、Ｓ２４１「静止光点あり？」から、Ｓ２４２「格納されている位置座標を取得」の処理に進む。一方で、画像処理部が、静止光点が投影面８０上に存在しないと判断した場合には、Ｓ２４０の処理に戻る。
【００６６】
Ｓ２４２の処理において、画像処理部２１は、Ｓ２１３の処理でＲＡＭ１８に格納した「光点９５の位置座標」を取得する。Ｓ２４２の処理が終了すると、Ｓ２４３「２点の位置座標を元に印刷範囲を表示する」の処理に進む。
【００６７】
Ｓ２４３の処理において、画像処理部２１は、Ｓ２４０の処理で認識した「光点９６の位置座標」及び、Ｓ２４２の処理で取得した「光点９５の位置座表」から印刷範囲９２の座標を判定し、投影画像９１に表示する。Ｓ２４３の処理が終了すると、Ｓ２５１「印刷要求」の操作に進む。
【００６８】
Ｓ２５１の操作において、ユーザは、ポインター４０を操作することにより、投影面８０に「印刷要求」を表示させる。この「印刷要求」は、例えば、ポインター４０により投影面８０に表示される光点を、ある特定の色で表示することにより行う。Ｓ２５１の操作において、ユーザがポインター４０を操作することにより、印刷することを選択した場合には、Ｓ２５２「印刷要求信号出力」の処理に進む。
【００６９】
一方で、Ｓ２５１の操作において、ユーザがポインターを操作しない場合（例えばユーザがポインターを操作することなく、一定時間経過した場合）には、Ｓ２７０「キャンセル？」の操作に進む。Ｓ２７０の操作において、ユーザがポインター４０を操作して、印刷要求をキャンセルしない場合には、Ｓ２５１の操作に戻る。一方で、Ｓ２７０の操作において、ユーザがポインター４０を操作して、印刷要求をキャンセルする場合には、一連のフローが終了する。
【００７０】
Ｓ２５２の処理において、カメラ２５は、Ｓ２５１の操作で、投影面８０に表示された「印刷要求」の光点をキャプチャーして、この光点が「印刷要求」を示すある特定の色で表示されていることを認識して、「印刷要求信号」を印刷イメージ生成手段２４に出力する。Ｓ２５２の処理が終了すると、Ｓ２６１「印刷」の処理に進む。
【００７１】
Ｓ２６１の処理において、「印刷要求信号」が入力された印刷イメージ生成手段２４は、Ｓ２４３の処理で判定された印刷範囲９２の座標に基づき、「印刷イメージ」を生成し、画像処理部２１で色変換等の画像処理を行わせ、印刷部１１に出力して、印刷部１１が印刷をする。Ｓ２６１の処理が終了すると、Ｓ２６２「印刷完了メッセージ表示」の処理に進む。
【００７２】
Ｓ２６２の処理において、「印刷完了メッセージ」が、印刷機能付きプロジェクタ１やリモートコントローラ３０の表示部１２、３６に表示され、一連のフローが終了する。
【００７３】
（第３の実施形態）
次に第３の実施形態について説明をする。図８に第３の実施形態の説明図を示す。この第３の実施形態は、ユーザが、印刷機能付きプロジェクタ１に接続された「ポインティングディバイス」（図示せず）を操作することにより、投影画８０から所望の印刷範囲９２の対角線両端を順次選択し、この選択された対角線両端の座標に基づいて、印刷範囲９２の座標を判定する実施形態である。
【００７４】
つまり、この第３の実施形態では、投影画像９２から印刷範囲を選択する「印刷範囲選択手段」は、「ポインティングディバイス」である。この「ポインティングディバイス」には、マウス、トラックボール、トラックパッド、ポインティングスティック、ペンタブレット等が含まれる。また、「印刷範囲選択手段」が選択した印刷範囲９２の座標の判定を行う「印刷範囲判定手段」は、ＲＯＭ１９に保存されたアプリケーションソフトが、ＣＰＵ１７で処理されることにより実現している。なお、図８において、「表示画像」９１は横縦それぞれの解像度が１０２４×７６８で表示されている。
【００７５】
この第３の実施形態では、表示画像９１にカーソル９７が表示され、「ポインティングディバイス」を操作すると、カーソル９７が表示画像９１内を移動するようになっている。
ユーザが、「ポインティングディバイス」を操作することにより、所望の印刷範囲の対角線の一端９８（図８に示される１７０、５１２のＸＹ座標）に、カーソル９７を移動させて、「ポインティングディバイス」の押下ボタンを押下して（以下「クリック」とする）、印刷範囲９２の対角線の一端９８を選択する。ユーザが「ポインティングディバイス」を操作して、所望の印刷範囲の対角線の他端９９（図８に示される８５６、２３４のＸＹ座標）に、カーソル９７を移動させて、「クリック」して、印刷範囲の対角線の他端９９を選択する。なお、印刷範囲の対角線の一端９８及び他端９９を、「ポインティングディバイス」で選択する方法は、「ポインティングディバイス」の押下ボタンを押下してから離すまでの間にカーソル９７を移動する、いわゆる「ドラッグ」であっても差し支えない。
【００７６】
「印刷範囲判定手段」は、ユーザが「ポインティングディバイス」を操作することにより選択した、印刷範囲の対角線の一端９８の座標（ＸＹ座標が１７０、５１２）及び他端９９の座標（ＸＹ座標が８５６、２３４）から印刷範囲９２の座標を判定し、印刷イメージ生成手段２４は、この印刷範囲９２に基づき、「印刷イメージ」を生成し、画像処理部２１で色変換等の画像処理を行わせ、印刷部１１に出力して、印刷部１１が印刷をする。
【００７７】
（複数の印刷範囲の選択）
図９に複数の印刷範囲９２を選択した図を示す。本発明では、実施形態１〜３において、図９に示されるように、複数の印刷範囲９２を選択することも可能である。「印刷範囲選択手段」が選択し、「印刷範囲判定手段」が判定した印刷範囲９２の座標をＲＡＭ１８に格納することにより、投影画像９１から複数の印刷範囲９２を選択することを可能にしている。
【００７８】
（印刷イメージを投影面に表示）
図１０に「印刷イメージ」を投影面８０に表示した図を示す。本発明では、実施形態１〜３において、図１０に示されるように、印刷する前に「印刷イメージ」を投影面８０に投影して、プレビュー表示することが可能である。以下、図１１に「印刷イメージ」をプレビュー表示するフロー図を示し、以下説明をする。
【００７９】
Ｓ３１２「印刷プレビュー要求」の操作で、ユーザが「操作部」（第２の実施形態ではポインター４０、第３の実施形態では「ポインティングディバイス」を含む。以下同じ）を操作することにより、「印刷プレビュー要求」をすると、「操作部」が画像処理部２１に対して「印刷プレビュー要求」を出力して、Ｓ３２１「印刷プレビュー表示」の処理に進む。なお、このＳ３１２の操作で、ユーザは「操作部」を操作することにより、余白の設定、用紙のサイズの変更等の「ページ設定」を行うことができる。
【００８０】
一方で、Ｓ３１２の操作において、ユーザが「印刷キー」を押下しない場合（例えばユーザが「印刷キー」を押下することなく、一定時間経過した場合）には、Ｓ３５０「キャンセル？」の操作に進む。Ｓ３５０の操作において、ユーザが「操作部」を操作して、印刷要求をキャンセルしない場合には、Ｓ３１２の操作に戻る。一方で、Ｓ３５０の操作において、ユーザが「操作部」を操作して、印刷要求をキャンセルする場合には、一連のフローが終了する。
【００８１】
Ｓ３２１の処理において、画像処理部２１に「印刷プレビュー要求」が入力されると、画像処理部２１が、実施形態１〜実施形態３において印刷イメージ生成手段２４が生成した「印刷イメージ」を取得し、投影部１０に出力し、投影部１０が「印刷イメージ」を投影面８０に投影する。
【００８２】
なお、複数の印刷範囲９２を選択した場合には、複数の「印刷イメージ」をＲＡＭ１８に格納し、ユーザが「操作部」を操作することにより、複数の「印刷イメージ」をＲＡＭ１８から順次取得して、投影部１０に出力して、投影部１０が順次複数の「印刷イメージ」を投影面８０に投影する。Ｓ３２１の処理が終了すると、Ｓ３３１「印刷要求」の操作に進む。
【００８３】
Ｓ３３１の操作において、ユーザが「操作部」を操作することにより、「印刷要求」をすると、Ｓ３４１「印刷」の処理に進む。
【００８４】
一方で、Ｓ３３１の操作において、ユーザが「印刷キー」を押下しない場合（例えばユーザが「印刷キー」を押下することなく、一定時間経過した場合）には、Ｓ３５０「キャンセル？」の操作に進む。Ｓ３５０の操作において、ユーザが「操作部」を操作して、印刷要求をキャンセルしない場合には、Ｓ３１２の操作に戻る。一方で、Ｓ３５０の操作において、ユーザが「操作部」を操作して、印刷要求をキャンセルする場合には、一連のフローが終了する。
【００８５】
Ｓ３４１の処理において、実施形態１〜実施形態３で説明したように、印刷イメージ生成手段２４に「印刷要求」が入力されると、印刷イメージ生成手段２４は、「印刷イメージ」を画像処理部２１で色変換等の画像処理を行わせ、印刷部１１に出力して、印刷部１１が印刷をする。Ｓ３４１の処理が終了すると、Ｓ３４２「印刷完了メッセージ表示」の処理に進む。
【００８６】
Ｓ３４２の処理において、「印刷完了メッセージ」が、印刷機能付きプロジェクタ１やリモートコントローラ３０の表示部１２、３６に表示され、一連のフローが終了する。
【００８７】
図１２に印刷範囲の表示方法を示す。投影面８０に表示される印刷範囲９２の外縁は、図１２に示されるように、黒線、色線、点滅線、点線等で表示されるようになっていて、ユーザは、「操作部」を操作することにより印刷範囲９２の外縁の表示を変えることができるようになっている。
【００８８】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う印刷機能付きプロジェクタもまた技術的範囲に包含されるものとして理解されなければならない。
【図面の簡単な説明】
【００８９】
【図１】本発明の実施の形態を示す印刷機能付きプロジェクタの斜視図である。
【図２】本発明の実施の形態を示す印刷機能付きプロジェクタのブロック図である。
【図３】第１の実施形態の説明図である。
【図４】第１の実施形態を示すフロー図である。
【図５】印刷範囲の判定処理の説明図である。（第１の実施形態）
【図６】第２の実施形態の説明図である。
【図７】第２の実施形態を示すフロー図である。
【図８】第３の実施形態の説明図である。
【図９】複数の印刷範囲を選択した図である。
【図１０】印刷イメージを投影面に表示した図である。
【図１１】印刷イメージをプレビュー表示するフロー図である。
【図１２】印刷範囲の表示方法の説明図である。
【符号の説明】
【００９０】
１      印刷機能付きプロジェクタ
１ａ    表示部
１ｂ    レンズ
１ｃ    操作パネル
１０    投影部
１１    印刷部
１２    表示部
１３    操作パネル
１５    投影画像入力部
１６    外部記憶接続部
１７    ＣＰＵ
１８    ＲＡＭ
１９    ＲＯＭ
２０    記憶部
２１    画像処理部
２４    印刷イメージ生成手段
２５    カメラ
２６    赤外線送信部
２７    赤外線受信部
３０    リモートコントローラ
３１    ＣＰＵ
３２    ＲＯＭ
３３    ＲＡＭ
３４    記憶部
３６    表示部
３７    操作ボタン
３８    赤外線受光部
３９    赤外線送信部
４０    ポインター
５０    コンピュータ装置
５１    ＭＭＣ
５２    ＳＤメモリーカード
８０    投影面
９１    投影画像
９２    印刷範囲
９３    移動前の印刷範囲の頂点（第１の実施形態）
９４    移動後の印刷範囲の頂点（第１の実施形態）
９５    印刷範囲の対角線の一端（第２の実施形態）
９６    印刷範囲の対角線の他端（第２の実施形態）
９７    カーソル
９８    印刷範囲の対角線の一端（第３の実施形態）
９９    印刷範囲の対角線の他端（第３の実施形態）
【図１】
2008310715.tif 000003
【図２】
2008310715.tif 000004
【図４】
2008310715.tif 000005
【図５】
2008310715.tif 000006
【図７】
2008310715.tif 000007
【図８】
2008310715.tif 000008
【図１１】
2008310715.tif 000009
【図１２】
2008310715.tif 000010
【図３】
2008310715.tif 000011
【図６】
2008310715.tif 000012
【図９】
2008310715.tif 000013
【図１０】
2008310715.tif 000014